(57)【特許請求の範囲】
【請求項１】
たばこ見本を展示するたばこ展示ユニットであって、
前記たばこ見本を設置する見本設置部と、
前記たばこ見本を外部から保護する透明カバーと、
前記透明カバーの少なくとも一部を覆う透明液晶フィルムと、
前記透明液晶フィルムに電圧を印加する電圧印加部と、
前記電圧印加部による前記透明液晶フィルムへの電圧印加を制御する電圧制御部と、を有し、
前記透明液晶フィルムは、広告コンテンツの形状に形成されて前記透明カバーの表面と裏面との少なくとも一方に配置され、電圧印加のオンにより透明な状態となり、電圧印加のオフにより前記たばこ見本の透過を遮断してその広告コンテンツを表示する、
たばこ展示ユニット。
【請求項２】
たばこ見本を展示するたばこ展示ユニットであって、
前記たばこ見本を設置する見本設置部と、
前記たばこ見本を外部から保護する透明カバーと、
前記透明カバーの少なくとも一部を覆う透明液晶フィルムと、
前記透明液晶フィルムに電圧を印加する電圧印加部と、
前記電圧印加部による前記透明液晶フィルムへの電圧印加を制御する電圧制御部と、を有し、
前記透明カバーは、前記たばこ見本を水平な全周方向で包囲する形状に形成されており、
前記透明液晶フィルムは、広告コンテンツの形状に形成されて前記透明カバーの表面と裏面との少なくとも一方に配置され、電圧印加のオンにより透明な状態となり、電圧印加のオフにより前記たばこ見本の透過を遮断してその広告コンテンツを表示する、
たばこ展示ユニット。
【請求項３】
前記見本設置部は、複数の前記たばこ見本が上下左右に設置されており、
前記透明カバーは、複数の前記たばこ見本の前面に位置し、
前記透明液晶フィルムは、前記透明カバーの前面と後面との少なくとも一方の一部を覆っている請求項１または２に記載のたばこ展示ユニット。
【請求項４】
人間の接近と接触との少なくとも一方を検出する人間検出部を、さらに有しており、
前記電圧制御部は、前記人間検出部が前記人間を検出したときと検出しないときとで前記透明液晶フィルムへの電圧印加状態を変化させる請求項１から３の何れか一項に記載のたばこ展示ユニット。
【請求項５】
ＩＤ登録媒体からＩＤデータを検出するＩＤ検出部を、さらに有しており、
前記電圧制御部は、前記ＩＤ検出部が前記ＩＤデータを検出したときと検出しないときとで前記透明液晶フィルムへの電圧印加状態を変化させることで、前記検出されたＩＤデータにより成人認証された場合に前記広告コンテンツを表示させる請求項１から４の何れか一項に記載のたばこ展示ユニット。
【請求項６】
電子マネー媒体から電子マネーを取得する電子取得部を、さらに有しており、
前記電圧制御部は、前記電子取得部が前記電子マネーを取得したときと取得しないときとで前記透明液晶フィルムへの電圧印加状態を変化させる請求項１から５の何れか一項に記載のたばこ展示ユニット。
【請求項７】
前記電子取得部は、前記電子マネーとともに前記電子マネー媒体からＩＤデータも取得し、
取得された前記ＩＤデータを少なくとも販売されたたばこの識別データとともに出力するデータ出力部を、さらに有する請求項６に記載のたばこ展示ユニット。
【請求項８】
前記透明液晶フィルムは、前記広告コンテンツを表示する第二の透明液晶フィルムが表面と裏面との少なくとも一方に配置されている請求項１から７のいずれか１項に記載のたばこ展示ユニット。
【請求項９】
前記広告コンテンツをデータ入力する画像入力部を、さらに有し、
前記透明液晶フィルムは、データ入力された前記広告コンテンツを表示する請求項１から８のいずれか１項に記載のたばこ展示ユニット。
【請求項１０】
請求項１に記載のたばこ展示ユニットを有し、
前記透明液晶フィルムは、陳列されている複数の前記たばこ見本を遮蔽する位置で前面に配置されている自動販売機。
【請求項１１】
複数種類のたばこの在庫量を検出する在庫量検出部を、さらに有し、
前記電圧制御部は、検出された複数種類の前記たばこの在庫量に対応して複数種類の前記広告コンテンツを切換制御する請求項１０に記載の自動販売機。
【請求項１２】
複数種類のたばこが陳列されるたばこ保持部が形成されており、
陳列されている前記たばことは別個の位置に請求項２に記載のたばこ展示ユニットが搭載されているたばこ什器。
【請求項１３】
複数種類のたばこの在庫量を検出する在庫量検出部を、さらに有し、
前記電圧制御部は、検出された複数種類の前記たばこの在庫量に対応して複数種類の前記広告コンテンツを切換制御する請求項１２に記載のたばこ什器。
【発明の詳細な説明】
【技術分野】
【０００１】
本発明は、たばこ見本を展示するたばこ展示ユニット、このたばこ展示ユニットを利用した自動販売機およびたばこ什器に関するものである。
【背景技術】
【０００２】
たばこを販売する自動販売機においては、たばこ見本の見せ方に種々の工夫が凝らされている。例えば、売り切れとなったたばこについてはたばこ見本を購入者から見えないようにする自動販売機が提案されている(特許文献１)。
【０００３】
同文献には、少なくとも一方が複数の電極からなる一対の透明電極膜を対向させて配置し、ネマチック液晶を多数のカプセル中に封入した液晶層を前記透明電極膜間に介
在させて液晶フィルムを構成し、この液晶フィルムを商品見本が陳列された商品陳列部の前面の透明基板に配置した自動販売機が開示されている。
【０００４】
この自動販売機は、電極によって形成される透明部分を通して商品陳列部内の購買可能な商品見本のみを瞬時に視認することができるので、従来の自動販売機のディスプレイ装置と比較して視認性に優れるものとされている。
【０００５】
この自動販売機のディスプレイ装置では、一方の透明電極膜の複数の電極の中から選択された特定の電極と、他方の透明電極膜との間に所定電圧を印加した状態にすると、この特定の電極と対応する液晶フィルムの部分が透明となり、この液晶フィルムを通して商品陳列部に展示されているたばこ見本を見ることができる。
【０００６】
また、透明電極膜間に電圧を印加しない状態にすれば、液晶層が光を散乱して白濁状態となって光が透過しない不透明な第一状態となり、液晶フィルムを通して商品陳列部に展示されているたばこ見本が見えなくなる。
【０００７】
さらに、電気的に透明な第一状態と不透明な第二状態とが切換自在なパネルを、消費者製品の前に配置した販売用装置も提案されている。この販売用装置では、パネルの第一状態と第二状態とを切換えることで、消費者製品が見える状態と見えない状態とを切換えることができる(特許文献２)。
【先行技術文献】
【特許文献】
【０００８】
【特許文献１】特開平７−３０６９７８号公報
【特許文献２】ＵＳ２０１０／０２９４６７９
【発明の概要】
【発明が解決しようとする課題】
【０００９】
しかし、上記の特許文献１の自動販売機のディスプレイ装置は、販売できないたばこのたばこ見本を遮蔽するものである。このため、たばこ見本ごとに電極を個別に形成しておく必要があり、たばこ見本ごとに電圧の印加を制御する必要がある。また、全部のたばこを販売できる通常の状態では、透明液晶フィルムの全域に常時電圧を印加しておく必要があり、その消費電力が多大である。
【００１０】
また、特許文献２の販売用装置は、消費者製品が見える状態と見えない状態とを切換えることはできるものの、広告コンテンツを消費者に提供するものではない。さらに、特許文献２の販売用装置は、複数の消費者製品を陳列させて前面に透明な第一状態と不透明な第二状態とが切換自在なパネルを配置した構造になっており、特定の方向からしか消費者製品が見える状態と見えない状態とを切換えることができない。
【００１１】
本発明は上述のような課題に鑑みてなされたものであり、販売商品を顧客に効果的に訴求するたばこ展示ユニットを提供するものである。
【課題を解決するための手段】
【００１２】
本発明の第一のたばこ展示ユニットは、たばこ見本を展示するたばこ展示ユニットであって、たばこ見本を設置する見本設置部と、たばこ見本を外部から保護する透明カバーと、透明カバーの少なくとも一部を覆う透明液晶フィルムと、透明液晶フィルムに電圧を印加する電圧印加部と、電圧印加部による透明液晶フィルムへの電圧印加を制御する電圧制御部と、を有し、透明液晶フィルムは、電圧印加状態により透明な第一状態と半透明または不透明な第二状態とを交互に表示し、第二状態で広告コンテンツを表示することができる。
【００１３】
従って、本発明のたばこ展示ユニットでは、たばこ見本が顧客に提示されて訴求される。ただし、たばこ見本を遮蔽する位置に透明液晶フィルムが位置しており、この透明液晶フィルムを電圧制御部が透明な第一状態と半透明または不透明な第二状態とに制御する。このため、例えば、たばこ見本が透視される透明な第一状態とたばこの広告コンテンツが表示される第二状態とを交互に切換制御することができる。
【００１４】
また、本発明の第二のたばこ展示ユニットは、たばこ見本を展示するたばこ展示ユニットであって、たばこ見本を設置する見本設置部と、たばこ見本を外部から保護する透明カバーと、透明カバーの少なくとも一部を覆う透明液晶フィルムと、透明液晶フィルムに電圧を印加する電圧印加部と、電圧印加部による透明液晶フィルムへの電圧印加を制御する電圧制御部と、を有し、透明カバーは、たばこ見本を水平な全周方向で包囲する形状に形成されており、透明液晶フィルムは、電圧印加状態により透明な第一状態と半透明または不透明な第二状態とを交互に表示し、第二状態で広告コンテンツを表示することもできる。
【００１５】
従って、本発明のたばこ展示ユニットでは、たばこ見本が顧客に提示されて訴求される。ただし、たばこ見本を遮蔽する位置に透明液晶フィルムが位置しており、この透明液晶フィルムを電圧制御部が透明な第一状態と半透明または不透明な第二状態とに制御する。このため、例えば、たばこ見本が透視される透明な第一状態とたばこ見本が透視されない第二状態とを交互に切換制御したり、たばこ見本が透視される透明な第一状態とたばこの広告コンテンツが表示される第二状態とを交互に切換制御したりすることができる。
【００１６】
また、上述のようなたばこ展示ユニットにおいて、見本設置部は、複数のたばこ見本が上下左右に設置されており、透明カバーは、複数のたばこ見本の前面に位置し、透明液晶フィルムは、透明カバーの前面と後面との少なくとも一方の一部を覆っていてもよい。
【００１７】
また、上述のようなたばこ展示ユニットにおいて、電圧制御部は、透明液晶フィルムに電圧印加のオンにより第一状態を発生させるとともに電圧印加のオフにより第二状態を発生させてもよい。
【００１８】
また、上述のようなたばこ展示ユニットにおいて、人間の接近と接触との少なくとも一方を検出する人間検出部を、さらに有しており、電圧制御部は、人間検出部が人間を検出したときと検出しないときとで透明液晶フィルムへの電圧印加状態を変化させてもよい。
【００１９】
また、上述のようなたばこ展示ユニットにおいて、ＩＤ登録媒体からＩＤデータを検出するＩＤ検出部を、さらに有しており、電圧制御部は、ＩＤ検出部がＩＤデータを検出したときと検出しないときとで透明液晶フィルムへの電圧印加状態を変化させてもよい。
【００２０】
また、上述のようなたばこ展示ユニットにおいて、電子マネー媒体から電子マネーを取得する電子取得部を、さらに有しており、電圧制御部は、電子取得部が電子マネーを取得したときと取得しないときとで透明液晶フィルムへの電圧印加状態を変化させてもよい。
【００２１】
また、上述のようなたばこ展示ユニットにおいて、電子取得部は、電子マネーとともに電子マネー媒体からＩＤデータも取得し、取得されたＩＤデータを少なくとも販売されたたばこの識別データとともに出力するデータ出力部を、さらに有してもよい。
【００２２】
また、上述のようなたばこ展示ユニットにおいて、透明液晶フィルムは、第二状態でたばこ見本の透過を遮断してもよい。
【００２３】
また、上述のようなたばこ展示ユニットにおいて、透明液晶フィルムは、広告コンテンツの形状に形成されて透明カバーの表面と裏面との少なくとも一方に配置されていてもよい。
【００２４】
また、上述のようなたばこ展示ユニットにおいて、透明液晶フィルムは、広告コンテンツを表示する第二の透明液晶フィルムが表面と裏面との少なくとも一方に配置されていてもよい。
【００２５】
また、上述のようなたばこ展示ユニットにおいて、透明液晶フィルムは、広告コンテンツが投影されてもよい。
【００２６】
また、上述のようなたばこ展示ユニットにおいて、透明液晶フィルムは、ドットマトリクスにより広告コンテンツを表示してもよい。
【００２７】
また、上述のようなたばこ展示ユニットにおいて、広告コンテンツをデータ入力する画像入力部を、さらに有し、透明液晶フィルムは、データ入力された広告コンテンツを表示してもよい。
【００２８】
本発明の自動販売機は、本発明のたばこ展示ユニットを有し、透明液晶フィルムは、陳列されている複数のたばこ見本を遮蔽する位置で前面に配置されている。
【００２９】
また、上述のような自動販売機において、複数種類のたばこの在庫量を検出する在庫量検出部を、さらに有し、電圧制御部は、検出された複数種類のたばこの在庫量に対応して複数種類の広告コンテンツを切換制御してもよい。
【００３０】
本発明のたばこ什器は、複数種類のたばこが陳列されるたばこ保持部が形成されており、陳列されているたばことは別個の位置に本発明のたばこ展示ユニットが搭載されている。
【００３１】
また、上述のようなたばこ什器において、複数種類のたばこの在庫量を検出する在庫量検出部を、さらに有し、電圧制御部は、検出された複数種類のたばこの在庫量に対応して複数種類の広告コンテンツを切換制御してもよい。
【００３２】
なお、本発明の各種の構成要素は、その機能を実現するように形成されていればよく、例えば、所定の機能を発揮する専用のハードウェア、所定の機能がコンピュータプログラムにより付与されたデータ処理装置、コンピュータプログラムによりデータ処理装置に実現された所定の機能、これらの任意の組み合わせ、等として実現することができる。
【００３３】
また、本発明の各種の構成要素は、必ずしも個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。
【発明の効果】
【００３４】
本発明のたばこ展示ユニットでは、例えば、たばこ見本が透視される透明な第一状態とたばこ見本の広告コンテンツが表示される第二状態とを切換制御したり、たばこ見本が透視される透明な第一状態と遮蔽される第二状態とを切換制御したりすることができる。このため、透明液晶フィルムを利用してたばこを適した顧客に効果的に訴求することができる。
【図面の簡単な説明】
【００３５】
【図１】本発明の実施の第一の形態のたばこ展示ユニットを搭載した自動販売機の外観を示す正面図である。
【図２】自動販売機の外観を示す分解斜視図である。
【図３】自動販売機の回路構造を示すブロック図である。
【図４】透明液晶フィルムの内部構造を示す縦断平面図である。
【図５】自動販売機のデータ処理方法を示すフローチャートである。
【図６】本発明の実施の第二の形態のたばこ展示ユニットの外観を示す斜視図である。
【図７】本発明の実施の第二の形態のたばこ展示ユニットを搭載したたばこ什器の外観を示す正面図である。
【発明を実施するための形態】
【００３６】
本発明の実施の第一の形態を図１ないし図５を参照して以下に説明する。図１等に示すように、本実施の形態のたばこ展示ユニット１５０は自動販売機１００に搭載されており、たばこ見本１１０を展示する。
【００３７】
このたばこ展示ユニット１５０は、図２に示すように、たばこ見本１１０を設置する見本設置部１５１と、たばこ見本１１０を外部から保護する透明カバー１５２と、透明カバー１５２の少なくとも一部を覆う透明液晶フィルム１２０と、図３に示すように、透明液晶フィルム１２０に電圧を印加する電圧印加部１３１と、電圧印加部による透明液晶フィルムへの電圧印加を制御する電圧制御部１３２と、を有し、透明液晶フィルム１２０は、電圧印加状態により透明な第一状態と半透明または不透明な第二状態とを交互に表示する。
【００３８】
より具体的には、本実施の形態の自動販売機１００は、図１および図２に示すように、たばこ見本１１０として複数のたばこ見本が前面に陳列されている。透明液晶フィルム１２０は、陳列されている複数のたばこ見本を遮蔽する位置で自動販売機１００の前面に配置されている。
【００３９】
透明液晶フィルム１２０は、図４に示すように、液晶層１２１を中心に、一対の透明電極１２２と一対のプラスチックフィルム１２３を積層した構造からなる。なお、本実施の形態のたばこ展示ユニット１５０では、図１(ａ)に示すように、液晶層１２１が第二状態で所定の発色で広告コンテンツを表示する形状に形成されている。
【００４０】
電圧印加部１３１はＡＣ(Alternating Current)電源からなり、ＡＣ電圧を発生する。電圧制御部１３２は、オンオフスイッチからなり、図１(ａ)に示すように、透明液晶フィルム１２０に電圧印加のオンにより透明な第一状態を発生させ、図１(ｂ)に示すように、オフにより不透明な第二状態を発生させる。
【００４１】
また、透明液晶フィルム１２０の部分はタッチパネルも兼用しており、図３に示すように、人間の接触を人間検出部１４０として検出する。この人間検出部１４０は電圧制御部１３２に接続されており、電圧制御部１３２は、人間が検出されないときに透明液晶フィルム１２０の液晶層１２１を第二状態に制御するとともに、人間が検出されるときに透明液晶フィルム１２０の液晶層１２１を透明な第一状態に制御する。
【００４２】
本実施の形態の自動販売機１００は、図１に示すように、従来と同様に、前面側方に料金投入口と金額表示部との金銭投入ユニット１０１が配置されており、前面下方に商品搬出口１０２および釣銭排出口１０４が形成されている。また、金銭投入ユニット１０１の上方には、「画面にふれて下さい」なるガイダンスプレート１０３が装着されている。
【００４３】
上述のような構成において、本実施の形態の自動販売機１００では、図１(ａ)および図５に示すように、ディフォルト状態では電圧制御部１３２により透明液晶フィルム１２０の液晶層１２１で販売商品の広告コンテンツが表示出力されている(ステップＳ１)。
【００４４】
このような状態で、例えば、広告コンテンツを視認した顧客が興味をもって透明液晶フィルム１２０に接触すると、これを検出した自動販売機１００は(ステップＳ２−Ｙ)、電圧制御部１３２により透明液晶フィルム１２０を透明な第一状態とする(ステップＳ３)。
【００４５】
すると、広告コンテンツが消去されることで、自動販売機１００の前面に陳列されている複数のたばこ見本１１０が顧客に提示されて訴求される。そこで、顧客は所望のたばこを選択して購入することができる(ステップＳ４−Ｙ，Ｓ５)。
【００４６】
なお、顧客がたばこを購入することなく所定時間が経過すると、または、たばこを購入してから所定時間が経過すると(ステップＳ６−Ｙ)、自動販売機１００はディフォルト状態に復帰する。このため、また電圧制御部１３２により透明液晶フィルム１２０の液晶層１２１で販売商品の広告コンテンツが表示出力されることになる(ステップＳ１)。
【００４７】
本実施の形態の自動販売機１００は、上述のようにたばこ見本１１０が透視される透明な第一状態とたばこの広告コンテンツが表示される第二状態とを切換制御することができる。このため、透明液晶フィルム１２０を利用してたばこを顧客に効果的に訴求することができる。
【００４８】
特に、本実施の形態の自動販売機１００は、人間の接触を検出する人間検出部１４０を有しており、電圧制御部１３２は、人間の接触が検出されないときに透明液晶フィルム１２０を第二状態に制御するとともに、人間の接触が検出されるときに透明液晶フィルム１２０を透明な第一状態に制御する。
【００４９】
このため、顧客が接触していないときには透明液晶フィルム１２０を利用して、大画面の広告コンテンツでたばこを顧客に効果的に提示して訴求することができる。一方、顧客が接触すると透明液晶フィルム１２０を自動的に透明な第一状態とし、実際に購入できるたばこのたばこ見本１１０を提示して訴求することができる。そして、このような交互の切り替えにより、たばこを効果的に訴求することができる。
【００５０】
さらに、本実施の形態の自動販売機１００は、通常は透明液晶フィルム１２０に電圧を印加しない第二状態で、顧客がたばこを購入するときのみ電圧を印加する第一状態となる。このため、通常は電力を消費することがなく、省電力である。
【００５１】
また、本実施の形態の自動販売機１００は、たばこ見本１１０を外部から保護する透明カバー１５２の表面に広告コンテンツの形状の透明液晶フィルム１２０が配置されており、透明液晶フィルム１２０に電圧を電圧印加部１３１が電圧を印加する。このため、電圧を印加する部分が最小限で省電力であり、たばこ見本ごとに透明電極１２２を個別に形成しておく必要もない。
【００５２】
なお、本発明は本実施の形態に限定されるものではなく、その要旨を逸脱しない範囲で各種の変形を許容する。例えば、上記形態では人間の接触が検出されないときに透明液晶フィルム１２０を第二状態に制御するとともに、人間の接触が検出されるときに透明液晶フィルム１２０を透明な第一状態に制御することを例示した。
【００５３】
しかし、自動販売機に人間の接近を検出するセンサを搭載し、人間の接近が検出されないときに透明液晶フィルム１２０を第二状態に制御するとともに、人間の接近が検出されるときに透明液晶フィルム１２０を透明な第一状態に制御してもよい。
【００５４】
この場合、遠距離の顧客には大画面の広告コンテンツでたばこを提示することができ、近距離の顧客には実際に販売されているたばこのたばこ見本１１０を提示することができ、この画面の切り替えにより、たばこを効果的に訴求することができる。
【００５５】
また、上記形態では自動販売機１００の前面に透明液晶フィルム１２０が貼着されて販売商品であるたばこ見本１１０の訴求画像を表示することを例示した。しかし、図６に例示するたばこ展示ユニット２００のように、たばこ見本１１０として立体の販売商品やたばこ見本１１０の少なくとも一方を有し、透明液晶フィルム１２０は、たばこ見本１１０を包囲する円筒状に形成されており、電圧制御部１３２は、所定画像としてたばこ見本１１０を遮蔽する遮蔽画像を第二状態で透明液晶フィルム１２０に表示させてもよい。
【００５６】
この場合も、例えば、顧客の接近や接触に対応して透明液晶フィルム１２０の第一状態と第二状態とを切り換えることができるので、透明液晶フィルム１２０を利用してたばこ見本１１０を顧客に効果的に提示して訴求することができる。
【００５７】
なお、当然ながら透明液晶フィルム１２０でたばこ見本１１０を遮蔽するときに、たばこ見本１１０の訴求画像や広告コンテンツを表示出力してもよい。また、たばこ見本１１０を包囲する形状としては、上述の円筒状の他、箱状でもよい(ともに図示せず)。
【００５８】
さらに、上記形態では自動販売機１００にたばこ展示ユニットが組み込まれていることを例示した。しかし、図７に示すように、図６に例示したたばこ展示ユニット２００が搭載された、たばこ什器３００なども実施可能である。この場合も、たばこＴＢを陳列するたばこ什器３００で、透明液晶フィルム１２０を利用してたばこ見本１１０を顧客に効果的に提示して訴求することができる。
【００５９】
さらに、上記形態では透明液晶フィルム１２０の液晶層１２１で広告コンテンツが表示されることを例示した。しかし、第一の透明液晶フィルムの表面に第二の透明液晶フィルムが配置されており、これで広告コンテンツが表示されてもよい(図示せず)。
【００６０】
また、透明カバー１５２の全面に配置した透明液晶フィルム１２０に広告コンテンツをプロジェクタなどで投影してもよく、透明液晶フィルム１２０がドットマトリクス構造で広告コンテンツを表示してもよい。このような広告コンテンツは静止画でも動画でもよい。
【００６１】
このような自動販売機１００は、外部のデータベースサーバなどから広告コンテンツをデータ入力する画像入力部を、さらに有し、透明液晶フィルム１２０は、データ入力された広告コンテンツを表示してもよい(図示せず)。この場合、表示される広告コンテンツを外部から制御することができる。
【００６２】
また、図１(ｂ)に示すように、自動販売機１００が品切れの商品のたばこ見本１１０を消灯状態としてもよい。さらに、このように自動販売機１００が品切れの商品を認識することにより、品切れでない商品の訴求画像や広告コンテンツのみを透明液晶フィルム１２０に表示出力してもよい。
【００６３】
反対に、自動販売機１００が、良好に多数が販売されているたばこを認識し、そのたばこを訴求する訴求画像や広告コンテンツを透明液晶フィルム１２０に表示出力してもよい。
【００６４】
さらに、前述のようなたばこ什器３００でたばこの在庫量に対応して、品切れでない商品の訴求画像や広告コンテンツのみを、たばこ展示ユニット２００の透明液晶フィルム１２０に表示出力してもよい。
【００６５】
さらに、たばこ什器が、良好に多数が販売されている商品を認識し、その商品の訴求画像や広告コンテンツなどを、たばこ展示ユニット２００の透明液晶フィルム１２０に表示出力してもよい。また、透明液晶フィルム１２０を点滅させることで、たばこ見本１１０を効果的に訴求することもできる。
【００６６】
また、上記形態では人間の接触を検出する人間検出部１４０を有しており、電圧制御部１３２は、人間検出部１４０が人間を検出したときと検出しないときとで透明液晶フィルム１２０への電圧印加状態を変化させることを例示した。
【００６７】
しかし、成人認証カードなどのＩＤ登録媒体からＩＤデータを検出するＩＤ検出部を、さらに有しており、電圧制御部１３２は、ＩＤ検出部がＩＤデータを検出したときと検出しないときとで透明液晶フィルム１２０への電圧印加状態を変化させてもよい(図示せず)。この場合、成人認証した顧客のみに広告コンテンツを提示するようなことができ、広告コンテンツを適切に提示することができる。
【００６８】
また、携帯電話機などの電子マネー媒体から電子マネーを取得する電子取得部を、さらに有しており、電圧制御部は、電子取得部が電子マネーを取得したときと取得しないときとで透明液晶フィルムへの電圧印加状態を変化させてもよい(図示せず)。さらに、電子取得部は、電子マネーとともに電子マネー媒体からＩＤデータも取得し、取得されたＩＤデータを少なくとも販売されたたばこの識別データとともに出力するデータ出力部を、さらに有してもよい。
【００６９】
この場合、たばこを本当に購入する顧客のみに広告コンテンツを提示するようなことができ、広告コンテンツを適切に提示することができる。しかも、どの顧客が何時、何処で、何のたばこを購入したか、をデータ収集することができるので、マーケティング活動を展開することができる。
上記の内容の一部又は全部は、以下のように特定され得る。但し、上述の内容が以下の記載に限定されるものではない。
＜１＞  たばこ見本を展示するたばこ展示ユニットであって、
前記たばこ見本を設置する見本設置部と、
前記たばこ見本を外部から保護する透明カバーと、
前記透明カバーの少なくとも一部を覆う透明液晶フィルムと、
前記透明液晶フィルムに電圧を印加する電圧印加部と、
前記電圧印加部による前記透明液晶フィルムへの電圧印加を制御する電圧制御部と、を有し、
前記透明液晶フィルムは、電圧印加状態により透明な第一状態と半透明または不透明な第二状態とを交互に表示し、前記第二状態で広告コンテンツが表示されるたばこ展示ユニット。
＜２＞  たばこ見本を展示するたばこ展示ユニットであって、
前記たばこ見本を設置する見本設置部と、
前記たばこ見本を外部から保護する透明カバーと、
前記透明カバーの少なくとも一部を覆う透明液晶フィルムと、
前記透明液晶フィルムに電圧を印加する電圧印加部と、
前記電圧印加部による前記透明液晶フィルムへの電圧印加を制御する電圧制御部と、を有し、
前記透明カバーは、前記たばこ見本を水平な全周方向で包囲する形状に形成されており、
前記透明液晶フィルムは、電圧印加状態により透明な第一状態と半透明または不透明な第二状態とを交互に表示し、前記第二状態で広告コンテンツが表示されるたばこ展示ユニット。
＜３＞  前記見本設置部は、複数の前記たばこ見本が上下左右に設置されており、
前記透明カバーは、複数の前記たばこ見本の前面に位置し、
前記透明液晶フィルムは、前記透明カバーの前面と後面との少なくとも一方の一部を覆っている＜１＞または＜２＞に記載のたばこ展示ユニット。
＜４＞  前記電圧制御部は、前記透明液晶フィルムに電圧印加のオンにより前記第一状態を発生させるとともに電圧印加のオフにより前記第二状態を発生させる＜１＞ないし＜３＞の何れか一つに記載のたばこ展示ユニット。
＜５＞  人間の接近と接触との少なくとも一方を検出する人間検出部を、さらに有しており、
前記電圧制御部は、前記人間検出部が前記人間を検出したときと検出しないときとで前記透明液晶フィルムへの電圧印加状態を変化させる＜１＞ないし＜４＞の何れか一つに記載のたばこ展示ユニット。
＜６＞  ＩＤ登録媒体からＩＤデータを検出するＩＤ検出部を、さらに有しており、
前記電圧制御部は、前記ＩＤ検出部が前記ＩＤデータを検出したときと検出しないときとで前記透明液晶フィルムへの電圧印加状態を変化させる＜１＞ないし＜５＞の何れか一つに記載のたばこ展示ユニット。
＜７＞  電子マネー媒体から電子マネーを取得する電子取得部を、さらに有しており、
前記電圧制御部は、前記電子取得部が前記電子マネーを取得したときと取得しないときとで前記透明液晶フィルムへの電圧印加状態を変化させる＜１＞ないし＜６＞の何れか一つに記載のたばこ展示ユニット。
＜８＞  前記電子取得部は、前記電子マネーとともに前記電子マネー媒体からＩＤデータも取得し、
取得された前記ＩＤデータを少なくとも販売されたたばこの識別データとともに出力するデータ出力部を、さらに有する＜７＞に記載のたばこ展示ユニット。
＜９＞  前記透明液晶フィルムは、前記第二状態で前記たばこ見本の透過を遮断する＜１＞ないし＜８＞の何れか一つに記載のたばこ展示ユニット。
＜１０＞  前記透明液晶フィルムは、前記広告コンテンツの形状に形成されて前記透明カバーの表面と裏面との少なくとも一方に配置されている＜９＞に記載のたばこ展示ユニット。
＜１１＞  前記透明液晶フィルムは、前記広告コンテンツを表示する第二の透明液晶フィルムが表面と裏面との少なくとも一方に配置されている＜９＞に記載のたばこ展示ユニット。
＜１２＞  前記透明液晶フィルムは、前記広告コンテンツが投影される＜９＞に記載のたばこ展示ユニット。
＜１３＞  前記透明液晶フィルムは、ドットマトリクスにより前記広告コンテンツを表示する＜９＞に記載のたばこ展示ユニット。
＜１４＞  前記広告コンテンツをデータ入力する画像入力部を、さらに有し、
前記透明液晶フィルムは、データ入力された前記広告コンテンツを表示する＜１０＞に記載のたばこ展示ユニット。
＜１５＞  ＜１＞に記載のたばこ展示ユニットを有し、
前記透明液晶フィルムは、陳列されている複数の前記たばこ見本を遮蔽する位置で前面に配置されている自動販売機。
＜１６＞  複数種類のたばこの在庫量を検出する在庫量検出部を、さらに有し、
前記電圧制御部は、検出された複数種類の前記たばこの在庫量に対応して複数種類の前記広告コンテンツを切換制御する＜１５＞に記載の自動販売機。
＜１７＞  複数種類のたばこが陳列されるたばこ保持部が形成されており、
陳列されている前記たばことは別個の位置に＜２＞に記載のたばこ展示ユニットが搭載されているたばこ什器。
＜１８＞  複数種類のたばこの在庫量を検出する在庫量検出部を、さらに有し、
前記電圧制御部は、検出された複数種類の前記たばこの在庫量に対応して複数種類の前記広告コンテンツを切換制御する＜１７＞に記載のたばこ什器。
【符号の説明】
【００７０】
１００    自動販売機
１０１    金銭投入ユニット
１０２    商品搬出口
１０３    ガイダンスプレート
１０４    釣銭排出口
１１０    たばこ見本
１２０    透明液晶フィルム
１２１    液晶層
１２２    透明電極
１２３    プラスチックフィルム
１３１    電圧印加部
１３２    電圧制御部
１４０    人間検出部
１５０    たばこ展示ユニット
１５１    見本展示部
１５２    透明カバー
２００    たばこ展示ユニット
３００    たばこ什器
ＴＢ    たばこ
【図１】
0005763382.tif 000002
【図２】
0005763382.tif 000003
【図３】
0005763382.tif 000004
【図４】
0005763382.tif 000005
【図５】
0005763382.tif 000006
【図６】
0005763382.tif 000007
【図７】
0005763382.tif 000008